(57)【特許請求の範囲】
【請求項１】
端部にコマ部材が回動可能に取り付けられた一方の眼鏡部材と、端部を折り返して形成されるとともに前記コマ部材を囲むように圧接して把持する把持部を有する他方の眼鏡部材とを備え、前記把持部に形成された挿入溝に一方の前記眼鏡部材の端部を挿入して前記コマ部材が取り付けられており、一方の前記眼鏡部材は、他方の前記眼鏡部材に対して前記挿入溝に沿って回動可能に取り付けられている眼鏡。
【請求項２】
前記把持部は、折り返し部分に湾曲形成された係合部が前記コマ部材に圧接して前記コマ部材を回動しないように把持している請求項１に記載の眼鏡。
【請求項３】
前記把持部は、折り返し部分に嵌合部が形成されており、折り返し部分に対向する支持部分に形成された嵌合穴に前記嵌合部が挿入されて前記コマ部材に圧接した状態に設定される請求項１又は２に記載の眼鏡。
【請求項４】
他方の前記眼鏡部材には、前記把持部の折り返し部分を前記コマ部材に圧接した状態で係止する止着体が取り付けられている請求項１から３のいずれかに記載の眼鏡。
【発明の詳細な説明】
【技術分野】
【０００１】
本発明は、眼鏡部材を回動可能に取り付けた眼鏡に関する。
【背景技術】
【０００２】
眼鏡は、眼鏡レンズ、眼鏡レンズの枠体、鼻パッド部材、テンプル部材等の眼鏡部材を組み立てて構成されている。テンプル部材は、一般に眼鏡レンズ又は眼鏡レンズの枠体に設けられたヨロイに蝶番等の部材を介して回動可能に取り付けられている。蝶番は、テンプル部材及びヨロイのそれぞれにコマ部材をロウ付け等により固定して取り付けられたり、スパルタ蝶番のように、テンプル部材及びヨロイに一体化して形成されている。こうした蝶番では、製造コストが高く、また蝶番を取り付けるテンプル部材及びヨロイの素材や形状が限定されるため、汎用性が低いといった課題がある。
【０００３】
こうした課題に対応するため、様々な回動機構が提案されている。例えば、特許文献１では、基端側にループ状の枢支部を有するテンプルと、テンプルの枢支部を受け入れる上下一対のコマ部を一端に備えたエンドピースとを備え、コマ部の間に枢支部を挿入して枢支ピボットによりテンプルとエンドピースとをヒンジ連結した連結構造が記載されている。また、特許文献２では、基端側にコマ部品が配設されるコマ付テンプルパーツと耳掛テンプルパーツ２が組継ぎして構成されるテンプルと、眼鏡フロントの側方に持出されたエンドピースとがヒンジ連結して構成される蝶番機構が記載されている。
【先行技術文献】
【特許文献】
【０００４】
【特許文献１】登録実用新案第３０２０４６５号公報
【特許文献２】特開２００３−３２９９８２号公報
【発明の概要】
【発明が解決しようとする課題】
【０００５】
特許文献１では、テンプルの基端側をループ状に形成して蝶番のコマと同様の機能を持たせるようにしているが、テンプルが棒状体以外の形状ではループ状に形成することが困難であり、汎用性に乏しい構成となっている。また、特許文献２では、テンプル部材を２つの部品から構成してロウ付けを行うことなく蝶番として組み立てることができるようになっているが、テンプル部材を複数の部品から構成されているため、製造コストの負担が大きくならざるを得ない。
【０００６】
そこで、本発明は、眼鏡部材を容易に組み立て加工することができるとともにガタツキのほとんどないスムーズな回動動作を行うことが可能な眼鏡を提供することを目的とするものである。
【課題を解決するための手段】
【０００７】
本発明に係る眼鏡は、端部にコマ部材が回動可能に取り付けられた一方の眼鏡部材と、端部を折り返して形成されるとともに前記コマ部材を囲むように圧接して把持する把持部を有する他方の眼鏡部材とを備え、前記把持部に形成された挿入溝に一方の前記眼鏡部材の端部を挿入して前記コマ部材が取り付けられており、一方の前記眼鏡部材は、他方の前記眼鏡部材に対して前記挿入溝に沿って回動可能に取り付けられている。さらに、前記把持部は、折り返し部分に湾曲形成された係合部が前記コマ部材に圧接して前記コマ部材を回動しないように把持している。さらに、前記把持部は、折り返し部分に嵌合部が形成されており、折り返し部分に対向する支持部分に形成された嵌合穴に前記嵌合部が挿入されて前記コマ部材に圧接した状態に設定される。さらに、他方の前記眼鏡部材には、前記把持部の折り返し部分を前記コマ部材に圧接した状態で係止する止着体が取り付けられている。
【発明の効果】
【０００８】
本発明は、上記のような構成を有することで、眼鏡部材を容易に組み立て加工することができるとともにガタツキのほとんどないスムーズな回動動作を行うことが可能となる。
【図面の簡単な説明】
【０００９】
【図１】本発明に係る眼鏡に関する外観斜視図である。
【図２】図１に示す眼鏡に関する平面図である。
【図３】ヨロイ部材及びテンプル部材の連結部分を分解した状態を示す斜視図である。
【図４】テンプル部材に関する左右側面図及び平面図である。
【図５】止着体に関する側面図及びＡ−Ａ断面図である。
【図６】ヨロイ部材にテンプル部材を取り付ける工程に関する説明図である。
【発明を実施するための形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る眼鏡に関する外観斜視図であり、図２は、図１に示す眼鏡に関する平面図である。本実施形態では、縁無しタイプの眼鏡を例に説明する。眼鏡１は、眼鏡部材として、眼鏡レンズ２、眼鏡レンズ２の中央側を保持するように取り付けられたブリッジ部材３、眼鏡レンズ２の端部側を保持するように取り付けられたヨロイ部材４、ヨロイ部材４に回動可能に連結されたテンプル部材５、テンプル部材５に取り付けられたモダン部材６、及び、ブリッジ部材３に取り付けられた鼻パッド部材７を備えている。そして、この例では、一方の眼鏡部材であるヨロイ部材４に他方の眼鏡部材であるテンプル部材５が回動可能に取り付けられている。
【００１２】
眼鏡レンズ２には、透明な合成樹脂材料を成形加工して形成されており、ブリッジ部材３及びヨロイ部材４の取付位置に取付穴が形成されている。ブリッジ部材３及びヨロイ部材４は、金属材料を切断加工して細長く形成されており、ブリッジ部材３の両端部には、眼鏡レンズ２の取付穴に挿入して係合する係合部（図示せず）が形成されている。同様に、ヨロイ部材４の眼鏡レンズ２側の端部に眼鏡レンズ２の取付穴に挿入して係合する係合部（図示せず）が形成されている。係合部は、眼鏡レンズ２の取付穴に挿着された係合部材に押し込むことで、しっかりと固定されて眼鏡レンズ２を確実に保持することができるようになっている。一方、ヨロイ部材４のテンプル部材５側の端部には、蝶番部材８が取り付けられており、蝶番部材８を介してテンプル部材５が回動可能に連結されている。
【００１３】
テンプル部材５は、細幅の金属製薄板からなり、ヨロイ部材４側の端部には、折り返すように屈曲された把持部５０が形成されている。そして、テンプル部材５には、把持部５０を閉じた状態に設定する止着体５１が嵌合している。把持部５０は、蝶番部材８を囲むように取り付けられており、把持部５０の折り返し部分の端部に止着体５１を嵌め込むことで、把持部５０の内面が蝶番部材８に圧着してガタツキのほとんどない状態で取り付けられている。また、テンプル部材５の把持部５０とは反対側の端部から合成樹脂製のモダン部材６が挿入されて取り付けられている。
【００１４】
図３は、ヨロイ部材４及びテンプル部材５の連結部分を分解した状態を示す斜視図である。ヨロイ部材４には、テンプル部材５側の端部にリング状の取付部４０が形成されており、取付部４０には、蝶番部材８のコマ部材８０ａ及び８０ｂが上下から挟持するように配置されている。コマ部材８０ａ及び８０ｂは、ほぼ同一の形状に形成されており、平面視三角形状で所定の厚さに形成されている。コマ部材８０ａ及び８０ｂは、ネジ８１が螺着されて取付部４０に密着した状態で連結されており、ネジ８１は、取付部４０を貫通するように挿着されている。そのため、コマ部材８０ａ及び８０ｂは、取付部４０に対して回転可能に取り付けられている。
【００１５】
図４は、テンプル部材５に関する左右側面図（図４（ａ）及び図４（ｂ））及び平面図（図４（ｃ））である。テンプル部材５の把持部５０は、本体部５２から延設された支持部分５０ａ及び支持部分５０ａから外側に折り返された折り返し部分５０ｂを備えており、支持部分５０ａは、折り返し部分５０ｂに対して所定の間隔を空けて対向するように設定されている。そして、折り返し部分５０ｂは、支持部分５０ａに向かって押圧変形すると弾性力により反発するようになっている。
【００１６】
支持部分５０ａには、矩形状の嵌合穴５０ｃが形成されており、嵌合穴５０ｃの折り返し位置側にガイド穴５０ｄが形成されている。嵌合穴５０ｃは、後述する嵌合部５０ｆが挿入可能な長さ及び幅に形成されている。また、ガイド穴５０ｄは、ヨロイ部材４の取付部４０が回動する位置に対応して形成されており、取付部４０が回動する際に当接することのないように取付部４０が挿入可能な幅に形成されている。
【００１７】
折り返し部分５０ｂには、折り返し位置から外側に湾曲する係合部５０ｅが形成されており、係合部５０ｅから細幅に形成された嵌合部５０ｆが延設されている。係合部５０ｅは、コマ部材８０ａ及び８０ｂの三角形状の外周面に沿うように湾曲形成されている。そのため、係合部５０ｅと支持部分５０ａとの間にコマ部材８０ａ及び８０ｂが挟持されることで、コマ部材８０ａ及び８０ｂは、回動しないように固定されるようになる。また、係合部５０ｅから嵌合部５０ｆには、長手方向に沿って細幅の挿入溝５０ｇが形成されており、挿入溝５０ａは、ヨロイ部材４の取付部４０を把持部５０に取り付ける際に挿入可能に形成されている。また、取付部４０を把持部５０に取り付けた状態では、ヨロイ部材４は、挿入溝５０ｇに沿って回動するようになる。嵌合部５０ｆは、図４（ｃ）に示すように、長手方向の先端を外側に向かって折れ曲がるようにして係止突起が形成されており、係止突起は、止着体５１の係止穴５１ｃに嵌め込まれて止着体５１が嵌合部５０ｆから外れないように抜け止めとして作用する。
【００１８】
図５は、止着体５１に関する側面図（図５（ａ））及びＡ−Ａ断面図（図５（ｂ））である。止着体５１は、略直方体の形状で筒状に形成されており、内部には、本体部５２の幅及び厚さに対応して形成された摺動溝５１ａ及び嵌合穴５０ｃに嵌め込まれた嵌合部５０ｆに係止する係止溝５１ｂが形成されている。止着体５１は、本体部５２に対して摺動溝５１ａで挿着されているので、本体部５２に沿ってガタツクことなくスムーズに移動させることができる。また、止着体５１を把持部５０に向かって移動させて係止溝５１ｂ内に嵌合部５０ｆを挿入することで、嵌合部５０ｆを嵌合穴５０ｃに嵌め込まれた状態に設定することができる。止着体５１の係止溝５１ｂが形成された側面側には、係止穴５１ｃが形成されている。そして、係止溝５１ｂに挿入された嵌合部５０ｆの先端に形成された係止突起を係止穴５１ｃに嵌め込むことで、止着体５１が不用意に外れることなく嵌合状態を確実に保持するようになる。
【００１９】
図６は、ヨロイ部材４にテンプル部材５を取り付ける工程に関する説明図である。まず、ヨロイ部材４の取付部４０をテンプル部材５の把持部５０に対して、挿入溝５０ｇに挿入可能な位置に設定する（図６（ａ））。止着体５１は、予め把持部５０から離れた位置に移動させておく。そして、挿入溝５０ｇの嵌合部５０ｆ側から取付部４０を挿入して、取付部４０を把持部５０の支持部分５０ａ及び折り返し部分５０ｂの間に配置する（図６（ｂ））。
【００２０】
次に、取付部４０の両側にコマ部材８０ａ及び８０ｂを配置して、ネジ８１によりコマ部材８０ａ及び８０ｂを連結して取付部４０に密着した状態に設定する（図６（ｃ））。そして、ヨロイ部材４を挿入溝５０ｇに沿って把持部５０に引き込むように移動させて、コマ部材８０ａ及び８０ｂが係合部５０ｅと支持部分５０ａとの間に係合した状態に設定する（図６（ｄ））。
【００２１】
次に、嵌合部５０ｆを嵌合穴５０ｃに押し込むように嵌め込み、止着体５１を把持部５０に向かって移動させて嵌合部５０ｆを内部に収容する（図６（ｅ））。嵌合部５０ｆは、嵌合穴５０ｃに押し込まれることで元の形状に戻る反発力が生じるようになり、止着体５１に収容された状態では、反発力により係止溝５１ｂに圧接した状態となるため、止着体５１は把持部５０に係止した状態に設定される。
【００２２】
また、止着体５１が係止した状態では、折り返し部分５０ｂが支持部分５０ａに向かって強制的に移動させられて係合部５０ｅがコマ部材８０ａ及び８０ｂに圧接した状態に設定される。そのため、コマ部材８０ａ及び８０ｂが支持部分５０ａと係合部５０ｅとの間にがたつくことなくしっかりと固定された状態となる。ヨロイ部材４は、コマ部材８０ａ及び８０ｂの間に回動可能な状態で挟持されているため、挿入溝５０ｇに沿って回動可能な状態に設定されており、テンプル部材５をスムーズに回動させることができる。
【００２３】
以上説明したように、ヨロイ部材４に取り付けたコマ部材８０ａ及び８０ｂをテンプル部材５の把持部５０において挟持するように把持して固定するようにしているので、コマ部材をロウ付けすることなく固定することができ、テンプル部材５を回動可能に容易に組み立て加工することが可能となる。
【００２４】
また、把持部５０の折り返し部分５０ｂの係合部５０ｅをコマ部材８０ａ及び８０ｂに圧接させて固定しているので、テンプル部材５をガタツクことなく取り付けることができる。そして、ヨロイ部材４を挿入溝５０ｇに挿入して取り付けているので、ヨロイ部材４がテンプル部材５の把持部５０から外れることを確実に防止することができるとともにヨロイ部材４を挿入溝５０ｇに沿ってスムーズに回動させることが可能となる。
【００２５】
また、コマ部材８０ａ及び８０ｂを把持部５０において囲むように取り付けているので、コマ部材８０ａ及び８０ｂの形状を自由に設定することが可能となり、コマ部材８０ａ及び８０ｂの平面視の形状を三角形以外の形状、例えば、四角形、楕円形等の回動に対して係合可能な形状にしてその形状に対応して把持部５０の係合部５０ｅの湾曲形状を形成すればよい。また、コマ部材８０ａ及び８０ｂの厚さを適宜設定することも可能となり、厚さを厚くすることで、ネジ８１の抜け止めを確実に防止することができるようになる。
【００２６】
なお、モダン部材６をテンプル部材５から外して止着体５１を交換することもでき、様々な色合いの止着体５１を準備しておくことで、顧客の要望に合わせて止着体５１を選択することで好みのデザインの眼鏡を容易に組み立てることが可能となる。
【００２７】
上述した例では、縁無しタイプの眼鏡に関して説明したが、縁ありタイプの眼鏡でも本発明を適用することは可能であり、テンプル部材を回動可能に取り付ける眼鏡であれば、本発明を適用してテンプル部材を容易に組み立て加工することができる。また、テンプル部材の把持部において嵌合部を嵌合穴に押し込んで係止するように構成することもでき、その場合には止着体を使用しなくてもよくなる。また、テンプル部材にコマ部材を取り付けて、ヨロイ部材にコマ部材を囲む把持部を形成して、上述した例と同様にテンプル部材をヨロイ部材に対して回動可能に取り付けることもできる。
【符号の説明】
【００２８】
１・・・眼鏡、２・・・眼鏡レンズ、３・・・ブリッジ部材、４・・・ヨロイ部材、５・・・テンプル部材、６・・・モダン部材、７・・・鼻パッド部材、８・・・蝶番部材
【図１】
0006339476.tif 000002
【図２】
0006339476.tif 000003
【図３】
0006339476.tif 000004
【図４】
0006339476.tif 000005
【図５】
0006339476.tif 000006
【図６】
0006339476.tif 000007